(57)【要約】【課題】未記録光ディスクでのフォーカスバランス調整に異常が発生することを低減することができる光ディスク記録装置を提供する。【解決手段】ビーム光を出射する光源と、未記録光ディスクに所定の記録を行い、前記所定の記録が行われた記録領域でのモジュレーションを測定する測定部（ステップＳ１０の実行部）と、前記所定の記録が行われた記録領域でのモジュレーションが閾値以下であるか否かを判定する判定部（ステップＳ２０の実行部）と、前記判定部の判定結果が否でない場合、テストライト時の前記光源のパワーを標準から変更する変更部（ステップＳ３０の実行部）と、前記未記録光ディスクに前記テストライトを行い、前記テストライトが行われた領域においてフォーカスバランス調整を行うフォーカスバランス調整部（ステップＳ４０及びＳ５０の実行部）とを備える光ディスク記録装置。【選択図】図２
2012108977.tif 000002
【特許請求の範囲】
【請求項１】
ビーム光を出射する光源と、
未記録光ディスクに所定の記録を行い、前記所定の記録が行われた記録領域でのモジュレーションを測定する測定部と、
前記所定の記録が行われた記録領域でのモジュレーションが閾値以下であるか否かを判定する判定部と、
前記判定部の判定結果が否でない場合、テストライト時の前記光源のパワーを標準から変更する変更部と、
前記未記録光ディスクに前記テストライトを行い、前記テストライトが行われた領域においてフォーカスバランス調整を行うフォーカスバランス調整部とを備えることを特徴とする光ディスク記録装置。
【請求項２】
前記所定の記録のブロック数が前記テストライトのブロック数よりも少ないことを特徴とする請求項１に記載の光ディスク記録装置。
【請求項３】
前記判定部の判定結果が否でない場合、前記変更部が、テストライト時の前記光源のパワーを標準から一定量増加させることを特徴とする請求項１または請求項２に記載の光ディスク記録装置。
【請求項４】
前記判定部の判定結果が否でない場合、前記変更部が、テストライト時の前記光源のパワーを、前記所定の記録が行われた記録領域でのモジュレーションに応じた量に変更することを特徴とする請求項１または請求項２に記載の光ディスク記録装置。
【発明の詳細な説明】
【技術分野】
【０００１】
本発明は、書き込み可能な光ディスクに情報の記録を行える光ディスク記録装置に関する。
【背景技術】
【０００２】
光ディスク記録装置では、ＲＦ信号のジッターが最良になるように光ディスクの記録領域においてフォーカスバランス調整が行われる。なお、光ディスク記録装置に未記録光ディスクが装着された場合には、その未記録光ディスクに記録領域が存在しないため、通常ＰＣＡ（Power Calibration Area）領域において８ＥＣＣ分のテストライトが行われ、そのテストライトが行われた領域においてフォーカスバランス調整が行われる。
【先行技術文献】
【特許文献】
【０００３】
【特許文献１】特開２００７−２４２１３９号公報（段落００１１）
【特許文献２】特開２００９−２２４０２１号公報（段落００１５）
【特許文献３】特開２０１０−２７２０６号公報（段落００１２）
【特許文献４】特開２０１０−４０１０２号公報（段落０００７）
【特許文献５】特開２０１０−１８２３６９号公報（段落００２０）
【発明の概要】
【発明が解決しようとする課題】
【０００４】
しかしながら、未記録光ディスクの品質ばらつきや光ディスク記録装置の光学系ばらつき等のために、上述のテストライトが行われた領域でのモジュレーションが一定未満になってしまった場合、上述のテストライトが行われた領域がほぼ未記録領域になってしまい、フォーカスバランス調整が正常に行えないという問題があった。
【０００５】
モジュレーションＭは、記録品質を示す指標の一つであり、下記の（１）式の通りＲＦ信号のピーク値ＩＰＥＡＫとボトム値ＩＢＯＴＴＯＭとから求めることができる。なお、ＲＦ信号の最大振幅（ＩＰＥＡＫ−ＩＢＯＴＴＯＭ）はチャネルクロック周期Ｔの１４倍（１４Ｔ）に対応している。
Ｍ＝１０４×（ＩＰＥＡＫ−ＩＢＯＴＴＯＭ）／ＩＰＥＡＫ  ・・・（１）
【０００６】
なお、特許文献１〜５では、光ディスク記録装置において記録パワーを変化させる構成が開示されているが、未記録光ディスクでのフォーカスバランス調整に異常が発生することを低減する構成ではない。
【０００７】
本発明は、上記の状況に鑑み、未記録光ディスクでのフォーカスバランス調整に異常が発生することを低減することができる光ディスク記録装置を提供することを目的とする。
【課題を解決するための手段】
【０００８】
上記目的を達成するために本発明に係る光ディスク記録装置は、ビーム光を出射する光源と、未記録光ディスクに所定の記録を行い、前記所定の記録が行われた記録領域でのモジュレーションを測定する測定部と、前記所定の記録が行われた記録領域でのモジュレーションが閾値以下であるか否かを判定する判定部と、前記判定部の判定結果が否でない場合、テストライト時の前記光源のパワーを標準から変更する変更部と、前記未記録光ディスクに前記テストライトを行い、前記テストライトが行われた領域においてフォーカスバランス調整を行うフォーカスバランス調整部とを備える構成とする。
【０００９】
このような構成によると、未記録光ディスクの品質ばらつきや光ディスク記録装置の光学系ばらつき等が想定した範囲内であれば、テストライトが行われた領域でのモジュレーションが一定未満になることを防止することができ、未記録光ディスクでのフォーカスバランス調整を正常に行うことができる。すなわち、未記録光ディスクでのフォーカスバランス調整に異常が発生することを低減することができる。
【００１０】
また、前記所定の記録のブロック数が前記テストライトのブロック数よりも少ないことが望ましい。
【００１１】
また、前記判定部の判定結果が否でない場合、前記変更部が、例えば、テストライト時の前記光源のパワーを標準から一定量増加させるようにしてもよく、テストライト時の前記光源のパワーを、前記所定の記録が行われた記録領域でのモジュレーションに応じた量に変更するようにしてもよい。
【発明の効果】
【００１２】
本発明に係る光ディスク記録装置によると、未記録光ディスクの品質ばらつきや光ディスク記録装置の光学系ばらつき等が想定した範囲内であれば、テストライトが行われた領域でのモジュレーションが一定未満になることを防止することができるので、未記録光ディスクでのフォーカスバランス調整に異常が発生することを低減することができる。
【図面の簡単な説明】
【００１３】
【図１】本発明に係る光ディスク記録装置の一概略構成例を示す図である。
【図２】未記録光ディスクが装着された場合の図１に示す光ディスク記録装置のフォーカスバランス調整に関連する動作例を示すフローチャートである。
【図３】未記録光ディスクが装着された場合の図１に示す光ディスク記録装置のフォーカスバランス調整に関連する他の動作例を示すフローチャートである。
【発明を実施するための形態】
【００１４】
本発明の実施形態について図面を参照して以下に説明する。本発明に係る光ディスク記録装置の一概略構成例を図１に示す。
【００１５】
図１に示す光ディスク記録装置は、ＤＶＤ−Ｒ／ＲＷ、ＤＶＤ＋Ｒ／ＲＷ、ＤＶＤ−ＲＡＭ及びＢＤ−Ｒ／ＲＥといった書き込み可能な光ディスクＯＤに情報の書き込みを行うことができる装置であって、スピンドルモータ１と、スピンドルモータ駆動部２と、光ピックアップ３と、エンコーダ４と、レーザ駆動部５と、信号処理部６と、サーボ制御部７と、ドライバ８と、入力部９と、記憶部１０と、システムコントローラ１１とを備える。なお、図１に示す光ディスク記録装置は再生機能を有する構成とすることが望ましい。
【００１６】
スピンドルモータ１は、その出力軸がターンテーブル（不図示）に連結される。そして、そのターンテーブルは光ディスクＯＤを着脱可能に保持できるようになっている。これにより、スピンドルモータ１を回転することにより光ディスクＯＤが回転させることが可能となっている。
【００１７】
なお、スピンドルモータ１は、スピンドルモータ駆動部２に接続されている。スピンドルモータ１の駆動制御は、システムコントローラ１１の管理下において、スピンドルモータ駆動部２によって行われる。
【００１８】
光ピックアップ３は、所定の波長のレーザ光を出射する半導体レーザ光源（不図示）と、半導体レーザ光源から出射されたレーザ光を光ディスクＯＤの記録層に集光する対物レンズ（不図示）と、光ディスクＯＤで反射されたレーザ光を受光して光電変換を行うフォトディテクタ（不図示）とを備える。また、光ピックアップ３は、移動手段（不図示）によって、光ディスクＯＤの半径方向（図１の左右方向）に対して平行な方向に移動可能となっている。
【００１９】
スピンドルモータ１によって光ディスクＯＤを回転させて、光ピックアップ３の位置を適宜移動させることにより、光ピックアップ３から出射されるレーザ光のスポット位置を、光ディスクＯＤの記録可能領域の全域に移動できる。したがって、光ピックアップ３を用いて、光ディスクＯＤの記録可能領域の全てに情報を記録することが可能となる。
【００２０】
なお、上述のように、図１に示す光ディスク記録装置は、ＤＶＤ系とＢＤ系のディスクに対応している。このため、半導体レーザ光源から出射されるレーザ光の波長は、それらのディスクに対応する波長のレーザ光とする必要があり、半導体レーザ光源は２種類の波長（例えば４０５ｎｍと６５０ｎｍ）のレーザ光を切り替えて出射できるようになっている。
【００２１】
また、光ピックアップ３が備える対物レンズは、対物レンズアクチュエータ（不図示）によって、光軸方向に対して平行な方向（図１の上下方向）であるフォーカス方向と、光ディスクＯＤの半径方向に対して平行な方向（図１の左右方向）であるトラッキング方向とに移動可能となっている。これは、対物レンズの焦点位置が常に光ディスクＯＤの記録層に合うように制御するフォーカス制御と、対物レンズによって集光されたビームスポットの位置が常に光ディスクＯＤに形成されるトラックに追随するように制御するトラッキング制御とを行えるようにするためである。
【００２２】
また、光ピックアップ３を移動させる移動手段は、例えば、固定部分に配置されるスライドモータ（不図示）と、スライドモータの回転によって回転されるピニオン（不図示）と、光ピックアップ３本体に取り付けられるラック（不図示）とによって構成される。このような構成によると、ラックとピニオンの関係を利用して、光ピックアップ３の移動が実現される。
【００２３】
エンコーダ４は、システムコントローラ１１から供給された情報について、所定の方式で符号化処理を行い、その符号化された情報に基づいて記録パルスを作成し、その記録パルスをレーザ駆動部５に出力する。レーザ駆動部５は、エンコーダ４から出力される記録パルスにしたがって、光ピックアップ３の半導体レーザ光源を発振させる。また、レーザ駆動部５は、光ディスクＯＤの種類によって、光ピックアップ３の半導体レーザ光源から出射されるレーザ光の波長を切り替える機能も有する。
【００２４】
信号処理部６は、光ピックアップ３に備えられ複数の領域に分割されるフォトディテクタから出力される電気信号を演算処理し、フォーカスエラー信号、トラッキングエラー信号、及びウォブル信号を生成する。これらの信号は、サーボ制御部７に送られる。また、信号処理部６は、光ピックアップ３に備えられるフォトディテクタの各分割領域から出力される電気信号を総加算し、ＲＦ信号を生成してシステムコントローラ１１のＡ／Ｄ変換入力ポート（不図示）に送出する。
【００２５】
サーボ制御部７は、信号処理部６から送られてきたフォーカスエラー信号及びトラッキングエラー信号を用いて、ドライバ８を介してフォーカス制御及びトラッキング制御を行う。また、サーボ制御部７は、ドライバ８を介して、光ディスクＯＤの半径方向に対して平行な方向での光ピックアップ３の移動についても制御する。なお、サーボ制御部７は、ウォブル中にアドレス信号が含まれている場合には、アドレス生成を行う機能も有する。
【００２６】
ドライバ８は、サーボ制御部７からの指令にしたがって、上述の光ピックアップ３を移動させる移動手段と、対物レンズアクチュエータとを駆動させる回路である。
【００２７】
入力部９は、例えば、複数の入力ボタン（不図示）及び／又はリモートコントローラ送信機から送信されるリモートコントロール信号を受信する受信部（不図示）から成り、ユーザーからの指示内容を入力し、その指示内容をシステムコントローラ１１に送出する。
【００２８】
記憶部１０は、各種のプログラムやデータを記憶しており、システムコントローラ１１用の作業メモリや一時記憶メモリとしても機能する。
【００２９】
システムコントローラ１１は、図１に示す光ディスク記録装置を構成する各部が実行すべき所要の動作に応じて適宜制御処理を実行する。
【００３０】
次に、未記録光ディスクが装着された場合の図１に示す光ディスク記録装置のフォーカスバランス調整に関連する動作例について、図２に示すフローチャートを参照して説明する。なお、図２において、従来の光ディスク記録装置では行われていない動作のステップ（ステップＳ１０、Ｓ２０、及びＳ３０）は太線で示している。
【００３１】
図１に示す光ディスク記録装置に光ディスクＯＤが装着されると、装着された光ディスクＯＤの種類を判別する処理及び装着された光ディスクＯＤが未記録光ディスクであるか否かを判別する処理が実行される。これらの処理が実行された後、装着された光ディスクＯＤが未記録光ディスクであれば、図１に示す光ディスク記録装置は図２に示すフローチャートの動作を開始する。
【００３２】
まず、ステップＳ１０では、システムコントローラ１１がレーザ駆動部５及びドライバ８の制御並びにエンコーダ４への情報供給を行うことにより、ＰＣＡ領域において１ＥＣＣ分の記録が行われる。この記録時の半導体レーザ光源のパワーは記憶部１０に予め記憶されている「テストライト時の標準パワー」（センターパワー）にする。
【００３３】
さらに、ステップＳ１０では、システムコントローラ１１が、信号処理部６から送出されるＲＦ信号に基づいて、上述の１ＥＣＣ分の記録が行われた領域でのモジュレーションを測定する。
【００３４】
ステップＳ１０に続くステップＳ２０では、システムコントローラ１１が、ステップＳ１０において測定したモジュレーションが閾値（例えば４０００）以下であるか否かを判定する。なお、上述の閾値は記憶部１０に予め記憶しておくとよい。
【００３５】
ステップＳ１０において測定したモジュレーションが閾値（例えば４０００）以下でない場合（ステップＳ２０のＮＯ）、直接ステップＳ４０に移行する。
【００３６】
これに対して、ステップＳ１０において測定したモジュレーションが閾値以下である場合（ステップＳ２０のＹＥＳ）、システムコントローラ１１が、テストライト時の半導体レーザ光源のパワーを、記憶部１０に予め記憶されている「テストライト時の標準パワー」から「一定量」増加した値に設定し（ステップ３０）、その後ステップＳ４０に移行する。なお、上述の「一定量」は記憶部１０に予め記憶しておくとよい。また、上述の「一定量」は、例えば、ステップＳ１０において測定したモジュレーションが２５００（想定される最悪値の例）である場合に、後述するステップＳ４０でテストライトが行われた領域でのモジュレーションが５５００（最適値の例）になるような値に設定するとよい。半導体レーザ光源のパワーを上げていってもモジュレーションがある程度（例えば６０００程度）まで大きくなると飽和するので、ステップＳ３０のようにテストライト時の半導体レーザ光源のパワーを「一定量」増加させても、モジュレーションが大きくなり過ぎて不具合が生じることはない。
【００３７】
ステップＳ４０では、システムコントローラ１１がレーザ駆動部５及びドライバ８の制御並びにエンコーダ４への情報供給を行うことにより、ＰＣＡ領域において８ＥＣＣ分のテストライトが行われる。ステップＳ４０に続くステップＳ５０では、ステップＳ４０でテストライトが行われた領域においてフォーカスバランス調整が行われる。ステップＳ５０の動作が終了すると、フォーカスバランス調整に関連する動作が終了する。
【００３８】
次に、未記録光ディスクが装着された場合の図１に示す光ディスク記録装置のフォーカスバランス調整に関連する他の動作例について、図３に示すフローチャートを参照して説明する。なお、図３において、従来の光ディスク記録装置では行われていない動作のステップ（ステップＳ１０、Ｓ２０、及びＳ３５）は太線で示している。
【００３９】
図１に示す光ディスク記録装置に光ディスクＯＤが装着されると、装着された光ディスクＯＤの種類を判別する処理及び装着された光ディスクＯＤが未記録光ディスクであるか否かを判別する処理が実行される。これらの処理が実行された後、装着された光ディスクＯＤが未記録光ディスクであれば、図１に示す光ディスク記録装置は図３に示すフローチャートの動作を開始する。
【００４０】
まず、ステップＳ１０では、システムコントローラ１１がレーザ駆動部５及びドライバ８の制御並びにエンコーダ４への情報供給を行うことにより、ＰＣＡ領域において１ＥＣＣ分の記録が行われる。この記録時の半導体レーザ光源のパワーは記憶部１０に予め記憶されている「テストライト時の標準パワー」（センターパワー）にする。
【００４１】
さらに、ステップＳ１０では、システムコントローラ１１が、信号処理部６から送出されるＲＦ信号に基づいて、上述の１ＥＣＣ分の記録が行われた領域でのモジュレーションを測定する。
【００４２】
ステップＳ１０に続くステップＳ２０では、システムコントローラ１１が、ステップＳ１０において測定したモジュレーションが閾値（例えば４０００）以下であるか否かを判定する。なお、上述の閾値は記憶部１０に予め記憶しておくとよい。
【００４３】
ステップＳ１０において測定したモジュレーションが閾値（例えば４０００）以下でない場合（ステップＳ２０のＮＯ）、直接ステップＳ４０に移行する。
【００４４】
これに対して、ステップＳ１０において測定したモジュレーションが閾値以下である場合（ステップＳ２０のＹＥＳ）、システムコントローラ１１が、テストライト時の半導体レーザ光源のパワーを、「ステップＳ１０において測定したモジュレーションに応じた量」に設定し（ステップＳ３５）、その後ステップＳ４０に移行する。なお、ステップＳ１０において測定したモジュレーションと上述の「ステップＳ１０において測定したモジュレーションに応じた量」との対応関係を示すデータテーブルを記憶部１０が予め記憶しておくようにするとよい。また、上述の「ステップＳ１０において測定したモジュレーションに応じた量」は、例えば、ステップＳ１０において測定したモジュレーションが４０００以下である場合に、後述するステップＳ４０でテストライトが行われた領域でのモジュレーションが５５００（最適値の例）になるように設定するとよい。
【００４５】
ステップＳ４０では、システムコントローラ１１がレーザ駆動部５及びドライバ８の制御並びにエンコーダ４への情報供給を行うことにより、ＰＣＡ領域において８ＥＣＣ分のテストライトが行われる。ステップＳ４０に続くステップＳ５０では、ステップＳ４０でテストライトが行われた領域においてフォーカスバランス調整が行われる。ステップＳ５０の動作が終了すると、フォーカスバランス調整に関連する動作が終了する。
【００４６】
図３に示すフローチャートの動作または図４に示すフローチャートの動作が行われることにより、未記録光ディスクの品質ばらつきや光ディスク記録装置の光学系ばらつき等が想定した範囲内であれば、テストライトが行われた領域でのモジュレーションが一定未満になることを防止することができ、未記録光ディスクでのフォーカスバランス調整を正常に行うことができる。すなわち、未記録光ディスクでのフォーカスバランス調整に異常が発生することを低減することができる。
【００４７】
なお、未記録光ディスクが装着された場合であっても、その未記録光ディスクがコントロールデータ領域にテスト用データが書き込まれているＤＶＤ−Ｒ（ＳＬ）等の光ディスクであれば、図３に示すフローチャートの動作や図４に示すフローチャートの動作を行わず、コントロールデータ領域に書き込まれているテスト用データを用いてフォーカスバランス調整を行うようにすることが望ましい。
【符号の説明】
【００４８】
１  スピンドルモータ
２  スピンドルモータ駆動部
３  光ピックアップ
４  エンコーダ
５  レーザ駆動部
６  信号処理部
７  サーボ制御部
８  ドライバ
９  入力部
１０  記憶部
１１  システムコントローラ
【図１】
2012108977.tif 000003
【図２】
2012108977.tif 000004
【図３】
2012108977.tif 000005